(57)【要約】【課題】洗濯機作動中の振動が床面に伝わるのを防ぐことができる洗濯機用防振防水パンを提供する。【解決手段】洗濯機を載置する上部パン４と床面８に設置される下部パン２との間に防振部材３を介在させた洗濯機用防振防水パン１において、防振部材３を、硬質ゴム材からなる第１の防振材３ａと柔軟材からなる第２の防振材３ｂとを層状に複合してなる積層構造体としたことを特徴とする。【選択図】図２
0003117932.tif 000002
【実用新案登録請求の範囲】
【請求項１】
洗濯機を載置する上部パンと床面に設置される下部パンとの間に防振部材を介在させた洗濯機用防振防水パンにおいて、
前記防振部材を、硬質ゴム材からなる第１の防振材と柔軟材からなる第２の防振材とを層状に複合してなる積層構造体としたことを特徴とする洗濯機用防振防水パン。
【請求項２】
洗濯機を載置する上部パンと床面に設置される下部パンとの間に防振部材を介在させた洗濯機用防振防水パンにおいて、
前記防振部材を、柔軟材からなる第２の防振材を硬質ゴム材からなる第１の防振材で包囲してなる複合構造体としたことを特徴とする洗濯機用防振防水パン。
【請求項３】
前記柔軟材からなる第２の防振材を、スポンジ状物質またはゲル状物質から構成したことを特徴とする請求項２に記載の洗濯機用防振防水パン。
【請求項４】
前記防振部材を、上下方向に２分割したことを特徴とする請求項２または３のいずれか１項に記載の洗濯機用防振防水パン。
【考案の詳細な説明】
【技術分野】
【０００１】
本考案は、洗濯機を配置可能であってその排水が床面に流出するのを防ぐ防水パンに関し、詳しくは防振材または防振構造を備えた洗濯機用防水パンに関する。  
【背景技術】
【０００２】
住宅内で洗濯機を使用する際は、洗濯機からの排水を受けるべく、受け皿状の防水パンを床面に設置し、その上に洗濯機を載置するのが一般的である。
【０００３】
しかし、この防水パンは、洗濯排水が床面に流出するのを防ぐには有効であるものの、洗濯機作動中の振動が床面に伝わるのを防ぐようには構成されていなかった。
【０００４】
そこで従来は、洗濯機を防水パン上に設置する際、洗濯機の脚部と防水パンとの間や防水パンと床面との間に、ゴムなどの単一材からなる防振部材を配置し、その振動が床面に伝達するのを防ぐように工夫されていた。
【考案の開示】
【考案が解決しようとする課題】
【０００５】
しかしながら、洗濯機の重量は大きいため、その重量を支え得る硬度を有した防振材を使用しなければならず、硬度が低く振動吸収性の高い防振材を用いることができなかった。従って、その防振効果は限定的であり、結局床面に振動が伝わって耳障りな騒音を生じ、特に集合住宅である場合には階下の居住者にも迷惑をかけてしまっていた。
【０００６】
本考案は上記事情に鑑みてなされたものであり、その目的とするところは、洗濯機作動中の振動が床面に伝わるのを防ぐことができる洗濯機用防振防水パンを提供することにある。  
【課題を解決するための手段】
【０００７】
上記課題を解決するために本考案は、（１）洗濯機を載置する上部パンと床面に設置される下部パンとの間に防振部材を介在させた洗濯機用防振防水パンにおいて、前記防振部材を、硬質ゴム材からなる第１の防振材と柔軟材からなる第２の防振材とを層状に複合してなる積層構造体としたことを特徴とするものである。
【０００８】
また本考案は、（２）洗濯機を載置する上部パンと床面に設置される下部パンとの間に防振部材を介在させた洗濯機用防振防水パンにおいて、前記防振部材を、柔軟材からなる第２の防振材を硬質ゴム材からなる第１の防振材で包囲してなる複合構造体としたことを特徴とするものである。
【０００９】
また本考案は、上記（２）の構成において、（３）前記柔軟材からなる第２の防振材を、スポンジ状物質またはゲル状物質から構成したことを特徴とするものである。
【００１０】
また本考案は、上記（２）および（３）の構成において、（４）前記防振部材を、上下方向に２分割したことを特徴とするものである。
【考案の効果】
【００１１】
上記のように構成された本考案によれば、洗濯機を第１の防振材によって支えつつ柔軟な第２の防振材によって振動吸収効果を高くすることができ、洗濯機作動中の振動が床面に伝わるのを防ぐことができる。
【考案を実施するための最良の形態】
【００１２】
以下、図面を参照して本考案の洗濯機用防振防水パンの好ましい一実施形態につき説明する。
本考案にかかる洗濯機用防振防水パン１は、図１または図２に示す如く、床面８に設置される下部パン２と、下部パン２上に載置された防振部材３と、防振部材３上に載置された上部パン４と、下部パン２、防振部材３および上部パン４それぞれに対して同軸に設けられた開口部５内に配置された排水トラップ６と、から構成されている。
【００１３】
下部パン２は樹脂製であると共に、図２に示す如く上方に開口した枡形状に形成されており、床面８に配置される。
【００１４】
防振部材３は、図２に示す如く、柔軟なスポンジ材からなる第２の防振材３ｂを硬質ゴム材からなる第１の防振材３ａで包囲してなっている。
ここで、第１の防振材３ａは、洗濯機７の重量によって押しつぶされない範囲内で硬度の低いものがよい。また、第２の防振材３ｂは、振動吸収性を高めるべく、第１の防振材３ａよりも防振効果の高い柔軟なものがよい。
そして防振部材３は、下部パン２の底面２ａ上に載置されている。
【００１５】
上部パン４は樹脂製であり、図１および図２に示す如く、洗濯機７を載置可能な底板４１と、底板４１の周縁から起立する起立片４２ａおよび起立片４２ａから外側に垂下する垂下片４２ｂからなる周壁部４２と、から構成されている。なお、底板４１は、洗濯機７をその上に設置し得る強度を有すると共に、後述する開口部５に向けて水が自然に流下するように勾配が設けられている。
そして、上部パン４は、防振部材３の上面に底板４１の裏面を当接させて載置され、かつ下部パン２とは非接触に配置されている。
【００１６】
下部パン２、防振部材３および上部パン４にはそれぞれ、同軸の開口部５が設けられており、洗濯機７から水を排水するための排水トラップ６が挿入されている。ここで、排水トラップ６は、図２に示す如く防振部材３と接触して配置されている。
【００１７】
上記のように構成された洗濯機用防振防水パン１によれば、上部パン４と下部パン２とは非接触であるため、底板４ａ上に設置された洗濯機７からの振動は防振部材３を介して床面８に伝達される。ここで、防振部材３は、洗濯機７の重量を支え得る硬度を有した第１の防振材３ａの略中心部に、柔軟な第２の防振材３ｂを封入して構成されているため、洗濯機７を第１の防振材３ａによって支えつつ柔軟な第２の防振材３ｂによって効果的に振動を吸収することができる。したがって、洗濯機作動中の振動が床面に伝わって耳障りな騒音が発生するのを防ぐことができる。
【００１８】
また、洗濯機７に接続された排水トラップ６が防振部材３と接触して配置されているため、排水トラップ６を介して振動が床面に伝わるのを防ぐこともできる。
【００１９】
以上、具体例を例示しつつ本考案の好ましい実施形態について説明したが、本考案はこれらに限定されるものではない。
図３Ａに示す如く、防振部材３を上下方向に２分割して構成してもよい。この場合、防振部材３を伝わる振動の一部が、上防振部材３１と下防振部材３２との間の摩擦によって消失するため、更に防振効果を向上させることができる。なお、分割数は２分割に限定されず、３分割または４分割であってもよい。
【００２０】
また、第２の防振材として、ゲル状物質、粘土状物質または液状物質など、柔軟で振動吸収性の高い材料を適宜選択して使用することができる。
【００２１】
また、図３Ｂに示す如く、上部パン４における周壁部４２の内部空間４２’に防振部材３４を充填して構成してもよい。この場合、周壁部４２が振動して騒音を発生するのを防ぐことができる。
【００２２】
また、上部パン４および下部パン２の材質は、ポリ塩化ビニル樹脂、ポリエステル樹脂、ＦＲＰ樹脂、ポリプロピレン樹脂などの合成樹脂であってもよいし、ステンレスなどの金属であってもよく、耐水性および所定以上の強度を有するものであればよい。
【図面の簡単な説明】
【００２３】
【図１】本考案にかかる洗濯機用防振防水パンの一例を示す概略斜視図である。
【図２】図１のＸ−Ｘ線における側断面図である。
【図３】本考案にかかる洗濯機用防振防水パンの変形例を示す側断面図である。
【符号の説明】
【００２４】
１  洗濯機用防振防水パン
２  下部パン
３  防振部材
３ａ  第１の防振材
３ｂ  第２の防振材
４  上部パン
８  床面
【図１】
0003117932.tif 000003
【図２】
0003117932.tif 000004
【図３】
0003117932.tif 000005